(57)【要約】【課題】遊技台の受皿の位置や形状が機種によって異なっても、或いは遊技台の前面側に装飾が突出したり、遊技台や台間玉貸機に空気清浄装置等の設備が隣設されていても、遊技台の受皿に遊技玉を安定的に供給することができる台間ユニットを提供すること。【解決手段】本体部２に取り付けられたノーズベース５にノーズ基部６を水平回動可能に取り付け、該ノーズ基部６に玉供給ノーズ７の基端部を略直角に折曲可能に取り付け、本体部２からノーズベース５及びノーズ基部６を経て玉供給ノーズ７へと供給されるパチンコ玉（遊技玉）を玉供給ノーズ７の先端部に開口する玉排出口１１ａから排出する台間玉貸機（台間ユニット）１において、玉供給ノーズ７をノーズ本体７Ａと回動ノーズ７Ｂとで構成し、回動ノーズ７Ｂに玉排出口１１ａを開口させるとともに、該回動ノーズ７Ｂをノーズ本体７Ａの先端に玉供給方向に対して直交する面で回動可能に取り付ける。【選択図】図１３
2010088461.tif 000002
【特許請求の範囲】
【請求項１】
本体部に取り付けられたノーズベースにノーズ基部を水平回動可能に取り付け、該ノーズ基部に玉供給ノーズの基端部を略直角に折曲可能に取り付け、前記本体部から前記ノーズベース及びノーズ基部を経て前記玉供給ノーズへと供給される遊技玉を前記玉供給ノーズの先端部に開口する玉排出口から排出する台間ユニットにおいて、
前記玉供給ノーズをノーズ本体と回動ノーズとで構成し、前記回動ノーズに前記玉排出口を開口させるとともに、該回動ノーズを前記ノーズ本体の先端に玉供給方向に対して直交する面で回動可能に取り付けたことを特徴とする台間ユニット。
【請求項２】
前記回動ノーズの回動角を規制するストッパ手段を設けたことを特徴とする請求項１記載の台間ユニット。
【請求項３】
前記回動ノーズの玉供給方向への回動抵抗よりも逆方向の回動抵抗を大きく設定する回動規制手段を設けたことを特徴とする請求項１又は２記載の台間ユニット。
【請求項４】
前記回動規制手段は、前記ノーズ本体と前記回動ノーズとを爪係合させるとともに、前記ノーズ本体の爪の一方の傾斜面と、該爪に対面する前記回動ノーズ側の爪の一方の傾斜面と、を同一傾斜とし、且つ、両傾斜面の面接触によって前記回動ノーズの玉供給方向への回動抵抗よりも逆方向の回動抵抗を大きくしたことを特徴とする請求項３記載の台間ユニット。
【請求項５】
前記ノーズ本体を長手方向に２分割して固定ノーズと可動ノーズとし、可動ノーズを固定ノーズに対して長手方向にスライド可能に嵌合保持してノーズ本体を長手方向に伸縮可能に構成したことを特徴とする請求項１〜４の何れかに記載の台間ユニット。
【請求項６】
前記可動ノーズの玉搬送方向へのスライド抵抗を逆方向のスライド抵抗よりも大きく設定するスライド規制手段を設けたことを特徴とする請求項５記載の台間ユニット。
【請求項７】
前記可動ノーズと前記固定ノーズとを爪係合させるとともに、両者の少なくとも一方に形成された爪の玉供給方向への傾斜角度を逆方向の傾斜角度よりも大きく設定することによって前記スライド規制手段を構成したことを特徴とする請求項６記載の台間ユニット。
【請求項８】
前記固定ノーズの内側面に爪を形成するとともに、該爪の底面からの高さを遊技玉の半径よりも小さく設定したことを特徴とする請求項７記載の台間ユニット。
【請求項９】
前記ノーズベースを玉供給方向に２分割して固定ノーズベースと可動ノーズベースとし、可動ノーズベースを固定ノーズベースに対して玉供給方向にスライド可能に嵌合保持してノーズベースを玉供給方向に伸縮可能に構成したことを特徴とする請求項１〜８の何れかに記載の台間ユニット。
【請求項１０】
前記可動ノーズベースの玉供給方向へのスライド抵抗を逆方向のスライド抵抗よりも大きく設定するスライド規制手段を設けたことを特徴とする請求項９記載の台間ユニット。
【請求項１１】
前記可動ノーズベースと前記固定ノーズベースとを爪係合させるとともに、両者の少なくとも一方に形成された爪の玉供給方向への傾斜角度を逆方向の傾斜角度よりも大きく設定することによって前記スライド規制手段を構成したことを特徴とする請求項１０記載の台間ユニット。
【発明の詳細な説明】
【技術分野】
【０００１】
本発明は、パチンコ店等の遊技場においてパチンコ台間に隣設される台間玉貸機や台間玉払出機等の台間ユニットに関するものである。
【背景技術】
【０００２】
例えば、パチンコ玉（遊技玉）をパチンコ台に貸し出す台間玉貸機は、隣設するパチンコ台の受皿にパチンコ玉を計数しながら直接供給する装置であって、本体部に取り付けられたノーズベースにノーズ基部を水平回動可能に取り付け、該ノーズ基部に玉供給ノーズの基端部を略直角に折曲可能に取り付けて構成され、遊技客が貨幣を投入すると、その金額に応じた所定数のパチンコ玉を本体部からノーズベース及びノーズ基部を経て前記玉供給ノーズへと供給し、玉供給ノーズの先端部に開口する玉排出口からパチンコ台の受皿へとパチンコ玉を排出するものである。
【０００３】
斯かる台間玉貸機において、パチンコ台間の幅や設置状況、パチンコ台の外形寸法、特に最大突出部を含む厚さ寸法は機種によって異なることが多いことに鑑み、玉供給ノーズを長手方向に伸縮可能としたり、ノーズベースをパチンコ台の前面側に引き出すことができる構成が提案されている（例えば、特許文献１〜３参照）。
【特許文献１】特開平１０−１５６０３３号公報
【特許文献２】特開２００３−１５４１５２号公報
【特許文献３】実用新案登録第２５２５１３４号公報
【発明の開示】
【発明が解決しようとする課題】
【０００４】
ところで、従来のパチンコ台等の遊技台は、ガラス面と台枠を含む盤面（前面）側が全て略平坦に設計されていたが、昨今、盤面の台枠に突出部分を有する装飾を施したり、従来とは異なる受皿を配した遊技台の開発が進められている。又、最近の遊技場においては、例えば、広い遊技空間を確保するために遊技台に隣設する台間玉貸機の設置位置をずらしたり、カードユニットや台間型の空気清浄装置等を遊技台や台間玉貸機に隣設することが行われている。
【０００５】
斯かる状況下においては、従来の台間玉貸機等の台間ユニットには以下のような問題が発生していた。
【０００６】
即ち、遊技台の受皿の位置や形状が機種によって異なるために受皿に遊技玉を供給することができなかったり、遊技台の前面側に突出した装飾、或いは遊技台や台間玉貸機に隣設されたカードユニットや台間型の空気清浄装置等の設備との干渉によって玉供給ノーズの玉排出口を遊技台の受皿の上方に位置決めすることができない場合があった。
【０００７】
本発明は上記問題に鑑みてなされたもので、その目的とする処は、遊技台の受皿の位置や形状が機種によって異なっても、或いは遊技台の前面側に装飾が突出したり、遊技台や台間玉貸機に空気清浄装置等の設備が隣設されていても、遊技台の受皿に遊技玉を安定的に供給することができる台間ユニットを提供することにある。
【課題を解決するための手段】
【０００８】
上記目的を達成するため、請求項１記載の発明は、本体部に取り付けられたノーズベースにノーズ基部を水平回動可能に取り付け、該ノーズ基部に玉供給ノーズの基端部を略直角に折曲可能に取り付け、前記本体部から前記ノーズベース及びノーズ基部を経て前記玉供給ノーズへと供給される遊技玉を前記玉供給ノーズの先端部に開口する玉排出口から排出する台間ユニットにおいて、前記玉供給ノーズをノーズ本体と回動ノーズとで構成し、前記回動ノーズに前記玉排出口を開口させるとともに、該回動ノーズを前記ノーズ本体の先端に玉供給方向に対して直交する面で回動可能に取り付けたことを特徴とする。
【０００９】
請求項２記載の発明は、請求項１記載の発明において、前記回動ノーズの玉供給方向への回動抵抗よりも逆方向の回動抵抗を大きく設定する回動規制手段を設けたことを特徴とする。
【００１０】
請求項４記載の発明は、請求項３記載の発明において、前記回動規制手段は、前記ノーズ本体と前記回動ノーズとを爪係合させるとともに、前記ノーズ本体の爪の一方の傾斜面と、該爪に対面する前記回動ノーズ側の爪の一方の傾斜面と、を同一傾斜とし、且つ、両傾斜面の面接触によって前記回動ノーズの玉供給方向への回動抵抗よりも逆方向の回動抵抗を大きくしたことを特徴とする。
【００１１】
請求項５記載の発明は、請求項１〜４の何れかに記載の発明において、前記ノーズ本体を長手方向に２分割して固定ノーズと可動ノーズとし、可動ノーズを固定ノーズに対して長手方向にスライド可能に嵌合保持してノーズ本体を長手方向に伸縮可能に構成したことを特徴とする。
【００１２】
請求項６記載の発明は、請求項５記載の発明において、前記可動ノーズの玉供給方向へのスライド抵抗を逆方向のスライド抵抗よりも大きく設定するスライド規制手段を設けたことを特徴とする。
【００１３】
請求項７記載の発明は、請求項６記載の発明において、前記可動ノーズと前記固定ノーズとを爪係合させるとともに、両者の少なくとも一方に形成された爪の玉供給方向への傾斜角度を逆方向の傾斜角度よりも大きく設定することによって前記スライド規制手段を構成したことを特徴とする。
【００１４】
請求項８記載の発明は、請求項７記載の発明において、前記固定ノーズの内側面に爪を形成するとともに、該爪の底面からの高さを遊技玉の半径よりも小さく設定したことを特徴とする。
【００１５】
請求項９記載の発明は、請求項１〜９の何れかに記載の発明において、前記ノーズベースを玉供給方向に２分割して固定ノーズベースと可動ノーズベースとし、可動ノーズベースを固定ノーズベースに対して玉供給方向にスライド可能に嵌合保持してノーズベースを玉供給方向に伸縮可能に構成したことを特徴とする。
【００１６】
請求項１０記載の発明は、請求項９記載の発明において、前記可動ノーズベースの玉供給方向へのスライド抵抗を逆方向のスライド抵抗よりも大きく設定するスライド規制手段を設けたことを特徴とする。
【００１７】
請求項１１記載の発明は、請求項１０記載の発明において、前記可動ノーズベースと前記固定ノーズベースとを爪係合させるとともに、両者の少なくとも一方に形成された爪の玉供給方向への傾斜角度を逆方向の傾斜角度よりも大きく設定することによって前記スライド規制手段を構成したことを特徴とする。
【発明の効果】
【００１８】
請求項１記載の発明によれば、遊技台の受皿の位置や形状が機種によって異なったり、或いは遊技台の前面側に装飾が突出したり、遊技台や台間玉貸機等の台間ユニットに空気清浄装置等の設備が隣設されているために玉供給ノーズの玉排出口を遊技台の受皿の上方に位置決めすることができないような場合であっても、ノーズ本体の先端に取り付けられた回動ノーズを玉供給方向に対して直交する面で回動（首振り）させることによって、該回動ノーズに形成された玉排出口を遊技台の受皿方向に向けることができるため、該玉排出口から遊技台の受皿に遊技玉を確実且つ安定的に供給することができる。
【００１９】
請求項２記載の発明によれば、回動ノーズの回動角度（首振り角度）がストッパ手段によって所定の範囲内に制限されるため、回動ノーズが必要以上に回動して遊技玉が遊技台の受皿に供給されないで該回動ノーズから落下する等の問題が発生することがない。
【００２０】
請求項３及び４記載の発明によれば、所定角度に位置決めされた回動ノーズが遊技玉から受ける衝撃によって回動することなく所定の位置に固定されるため、該回動ノーズの玉排出口から遊技台の受皿に遊技玉が確実且つ安定的に供給される。
【００２１】
請求項５記載の発明によれば、機種によって遊技台の受皿の位置や形状が異なっていたり、遊技台や台間玉貸機等の台間ユニットに空気清浄機等の設備が隣設されていても、それに応じてノーズ本体を伸縮させることができるため、その先端に取り付けられた回動ノーズの玉排出口を遊技台の受皿の上方に位置決めすることができ、該排出口から遊技玉を遊技台の受皿に安定的に供給することができる。
【００２２】
請求項６及び７記載の発明によれば、伸縮によって所定の長さに調整されたノーズ本体が搬送中の遊技玉から受ける衝撃によって伸びることがないため、その先端に取り付けられた回動ノーズの玉排出口の位置がずれることがなく、該玉排出口から遊技玉を遊技台の受皿に安定的に供給することができる。
【００２３】
請求項８記載の発明によれば、固定ノーズの内側面に爪を形成したため、該爪にゴミや埃が付着することがなく、ノーズ本体の伸縮が安定的になされる。又、固定ノーズの内側面に形成された爪の底面からの高さを遊技玉の半径よりも小さく設定したため、該爪に搬送中の遊技玉が接触することがなく、搬送される遊技玉によって爪が損傷する等の不具合の発生が防がれる。
【００２４】
請求項９記載の発明によれば、遊技台の前面側に装飾が突出したり、遊技台や台間ユニットに隣設されたカードユニットや台間型の空気清浄装置等の設備が設置されているような場合には、可動ノーズベースを前面側（手前側）に引き出してノーズベース全体を伸ばすことができるため、玉供給ノーズと装飾や空気清浄装置等の設備との干渉を避けて玉排出口を遊技台の受皿の上方に位置決めすることができ、該排出口から遊技玉を遊技台の受皿に安定的に供給することができる。
【００２５】
請求項１０及び１１記載の発明によれば、ノーズベースの可動ノーズベースが搬送中の遊技玉から受ける衝撃によって移動してノーズベース全体が伸びて玉排出口の受皿に対する位置がずれることがないため、該玉排出口から遊技台の受皿に遊技玉が確実且つ安定的に供給される。
【発明を実施するための最良の形態】
【００２６】
以下に本発明の実施の形態を添付図面に基づいて説明する。
【００２７】
図１は本発明に係る台間ユニットの一形態としての台間玉貸機の斜視図、図２は同台間玉貸機の玉供給ノーズの可動範囲を示す斜視図、図３は同台間玉貸機の玉供給部の側面図、図４は同玉供給部の平面図、図５は同玉供給部の平断面図，図６は図５のＡ部拡大詳細図、図７は図４のＢ−Ｂ線断面図、図８（ａ）〜（ｃ）は図３のＣ−Ｃ線断面図、図９（ａ），（ｂ）は図３のＤ−Ｄ線断面図、図１０は玉供給部のノーズベースとノーズ基部の分解斜視図、図１１（ａ），（ｂ）はノーズベースとノーズ基部部分の断面斜視図、図１２（ａ），（ｂ）は同ノーズベースとノーズ基部部分の断面図、図１３は玉供給部部分の玉供給ノーズの分解斜視図、図１４は供給ノーズ先端の回動ノーズを回動（首振り）させてその玉排出口をパチンコ台の受皿の上方に開口させた状態を示す斜視図である。
【００２８】
本実施の形態に係る台間玉貸機１は、図１４に示すように、遊技場に配列された複数台のパチンコ台（図には１つのみ図示）１００に隣設されるものであって、図１に示すように、縦方向に長い幅の狭い本体部２の前面の上部には、遊技客が紙幣を投入するための細長い紙幣投入口３が開口しており、その下方には、紙幣投入口３から紙幣が投入されると、その金額に応じた個数のパチンコ玉５０（図７及び図１２参照）を図１４に示すパチンコ台１００の受皿１０１に供給するための玉供給部４が設けられている。
【００２９】
上記玉供給部４は、本体部２に取り付けられたノーズベース５にノーズ基部６を水平回動可能に取り付け、該ノーズ基部６に玉供給ノーズ７の基端部を略直角に折曲可能に取り付け、前記本体部２から前記ノーズベース５及びノーズ基部６を経て前記玉供給ノーズ７へと供給されるパチンコ玉５０（図７及び図１２参照）を前記玉供給ノーズ７の先端部に開口する玉排出口（本実施の形態では、後述の補助ノズル１１の玉排出口１１ａ）から排出するものである。
【００３０】
而して、本実施の形態に係る玉供給部４においては、図２に示すように、ノーズベース５は、玉供給方向に２分割された固定ノーズベース５Ａと可動ノーズベース５Ｂとで構成されており、必要に応じて可動ノーズベース５Ｂをノーズ基部６と共に固定ノーズベース５Ａに対してパチンコ台１００の前面側（遊技客にとって手前側）に引き出すことができ、ノーズベース５全体は図２の矢印ａ方向に伸縮可能に構成されている。
【００３１】
又、前記玉供給ノーズ７は、その基端部がノーズ基部６に図２の矢印ｂ方向に回動可能に支持されており、必要に応じて図２に破線にて示すように基端部を中心として略直角上方に折り曲げて略垂直に起立させることができるとともに、その基端部がノーズ基部６の中心を起点として図２の矢印ｃ方向に略９０°の角度範囲で水平に回動することができる。
【００３２】
更に、玉供給ノーズ７は、ノーズ本体７Ａとその先端に図２の矢印ｄ方向に回動（首振り）可能に取り付けられた回動ノーズ７Ｂとで構成されており、更にノーズ本体７Ａは長手方向（玉供給方向）に２分割された固定ノーズ７Ａ１と可動ノーズ７Ａ２とで構成されており、可動ノーズ７Ａ２は固定ノーズ７Ａ１に対して長手方向にスライド可能に嵌合保持され、これによってノーズ本体７Ａは図２に示す矢印ｅ方向（長手方向）に伸縮可能に構成されている。
【００３３】
次に、玉供給部４を構成する前記ノーズベース５とノーズ基部６の構成の詳細を図５及び図１０〜図１２に基づいて説明する。
【００３４】
ノーズベース５は、前述のように２分割された固定ノーズベース５Ａと可動ノーズベース５Ｂとで構成されており、固定ノーズベース５Ａは図１に示す本体部２に固定されており、図１０に示すように、その前面と背面には開口部５ａ，５ｂがそれぞれ形成され、底面上には複数の爪５ｃとガイド溝５ｄ（図１１（ｂ）参照）が可動ノーズベース５Ｂのスライド方向（玉供給方向）に形成されている。又、図１１及び図１２に示すように、固定ノーズベース５Ａの左右の側壁内面の上部には、可動ノーズベース５Ｂのスライド方向に水平に延びるリブ状のガイド突起５ｅが（図１１及び図１２には一方のみ図示）がそれぞれ突設されている。
【００３５】
他方、可動ノーズベース５Ｂは、固定ノーズベース５Ａ内にその背面側の開口部５ｂから挿入されて収容されるものであって、図１０に示すように、その左右の側壁外面の上部には、水平に延びる上下２本のリブ状突起５ｆによってガイド溝５ｇ（図１０には一方のみ図示）がそれぞれ形成されている。又、この可動ノーズベース５Ｂの前面には矩形状の開口部５ｈが形成されており、背面側はその全面が開口部５ｉとして開口している。そして、この可動ノーズベース５Ｂの底部には、図１１及び図１２に示すように、上下に撓み変形可能な舌片５ｊと該可動ノーズベース５Ｂのスライド方向に延びるガイド突起５ｋ（図１１参照）が形成されており、舌片５ｊの先端には固定ノーズベース５Ａに形成された複数の前記爪５ｃに係合する１つの爪５ｍが形成されている。又、可動ノーズベース５Ｂの上面には円弧状のストッパ５ｎが突設されている。
【００３６】
上述のように構成された可動ノーズベース５Ｂは、図１１及び図１２に示すように、その左右の側壁外面に形成されたガイド溝５ｇに固定ノーズベース５Ａの左右の側壁内面に突設されたガイド突起５ｅが嵌合するとともに、下部に形成されたガイド突起５ｋが固定ノーズベース５Ａの底面に形成されたガイド溝５ｄに嵌合することによって、固定ノーズベース５Ａ内に玉供給方向（図１１及び図１２の左右方向）にスライド可能に収容されており、その底部に設けられた舌片５ｊの先端に形成された爪５ｍは固定ノーズベース５Ａに形成された複数の爪５ｃの１つに係合している。このように、爪５ｃ，５ｍ同士が係合することによって可動ノーズベース５Ｂのスライドにはクリック感が与えられるが、本実施の形態では、可動ノーズベース５Ｂの玉供給方向（図１２の右方向）へのスライド抵抗を逆方向のスライド抵抗よりも大きく設定するスライド規制手段が設けられている。具体的には、スライド規制手段は、固定ノーズベース５Ａ側に形成された複数の各爪５ｃの玉供給方向への傾斜角度を逆方向の傾斜角度よりも大きく設定することによって構成されている。尚、図１１及び図１２において、（ａ）ノーズベース５の最収縮状態を示し、（ｂ）は最伸張状態を示しており、ノーズベース５はこれら２つの状態の範囲で伸縮することができる。そして、図１１（ｂ）及び図１２（ｂ）に示すように可動ノーズベース５Ｂが最大限引き出された状態（最伸張状態）では、該可動ノーズベース５Ｂに上面に突設されたストッパ５ｎが固定ノーズベース５Ａの上部内壁に当接して可動ノーズベース５Ｂのそれ以上の引き出しを阻止している。
【００３７】
そして、可動ノーズベース５Ｂ内には、可動玉通路部材８と前記固定ノーズベース５Ａに結着された固定玉通路部材９及び可動玉通路部材８に水平回動可能に支持されるノーズ基部６が組み込まれている。
【００３８】
上記可動玉通路部材８と固定玉通路部材９の内部には、図１２に示すように、パチンコ玉５０が通過する玉通路８ａ，９ａがそれぞれ形成されており、可動玉通路部材８の前面側底部にはノーズ基部６を回動可能に支持する円板状の支持部８ｃが一体に形成されている。又、可動玉通路部材８の左右の側壁内面には水平方向に延びるガイド突起８ｂが一体に突設されている。
【００３９】
一方、固定玉通路部材９は、前述のように固定ノーズベース５Ａに固定される部材であって、その前面側の左右には、可動玉通路部材８内に挿入される上下２本ずつの突起９ｂが前方に向かって水平に突設されており、各上下の突起９ｂの間には水平方向に延びるガイド溝９ｃがそれぞれ形成されている。
【００４０】
又、前記ノーズ基部６は、図１０に示すように、円柱状の本体６Ａの側部に樋状の固定部６Ｂを突設して構成されており、該固定部６Ｂの左右の側壁の外面には一体を成すピン状の支軸６ａと扇形の嵌合突起６ｂが突設されるとともに、ピン状のストッパ軸６ｃが突設されている。そして、ノーズ基部６の内部には、図５に示すように玉供給ノーズ７がノーズ基部６を中心として水平に回動して直角に折り曲げられたときに可動玉通路部材８の玉通路８ａに連通する玉通路６ｄが形成されている。
【００４１】
而して、ノーズ基部６は、その本体６Ａの下部が可動玉通路部材８の支持部８ｃ上に回動可能に支持され、その上部が図１０に示すキャップ１０によって支持されており、キャップ１０は可動玉通路部材８の上部に取り付けられている。そして、ノーズ基部６が組み付けられた可動玉通路部材８の背面側の開口部からは固定玉通路部材９がその突起９ｂを先にして挿入され、このとき、図１１及び図１２に示すように、可動玉通路部材８の左右の側壁内面に突設されたガイド突起８ｂは固定玉通路部材９の左右のガイド溝９ｃに嵌合している。
【００４２】
上述のようにノーズ基部６を回動可能に支持する可動玉通路部材８は、可動ノーズベース５Ｂ内に組み込まれ、ノーズ基部６の樋状の固定部６Ｂは、図１に示すように、可動ノーズベース５Ｂの前面側の開口部５ｈから外部に突出している。そして、可動玉通路部材８に組み込まれた固定玉通路部材９は、図１１及び図１２に示すように、その上下が固定ノーズベース５Ａに取り付けられる。従って、可動ノーズベース５Ｂは、可動玉通路部材８とこれに支持されたノーズ基部６と共に固定ノーズベース５Ａ及び固定玉通路部材９に対して玉供給方向（図１２の左右方向）にスライドすることができる。
【００４３】
次に、前記玉供給ノーズ７の構成の詳細を図３〜図１０及び図１３に基づいて説明する。  玉供給ノーズ７は、前述のようにノーズ本体７Ａとその先端に回動（首振り）可能に取り付けられた回動ノーズ７Ｂとで構成されており、ノーズ本体７Ａは長手方向（玉供給方向）に２分割された固定ノーズ７Ａ１と可動ノーズ７Ａ２とで構成されており、可動ノーズ７Ａ２は固定ノーズ７Ａ１に対して長手方向にスライド可能に嵌合保持され、これによってノーズ本体７Ａは図２に示す矢印ｅ方向（長手方向）に伸縮可能に構成されている。
【００４４】
ここで、図１３に示すように、固定ノーズ７Ａ１は上下に２分割された樋状の固定ノーズ半体７Ａ１１，７Ａ１２同士を接合一体化して構成されている。即ち、下側の固定ノーズ７Ａ１２の左右の側壁外面の長手方向の２箇所には係合突起７ａ（図には片側のみ図示）がそれぞれ突設されており、上側の固定ノーズ半体７Ａ１１の左右の側壁外面の対応する２箇所には係合孔７ｂ（図には片側のみ図示）が形成されている。
【００４５】
而して、下側の固定ノーズ半体７Ａ１２の上に上側の固定ノーズ半体７Ａ１１を被せ、上側の固定ノーズ半体７Ａ１１に形成された前記係合孔７ｂに下側の固定ノーズ半体７Ａ１２に突設された係合突起７ａを係合させることによって、上下の固定ノーズ半体７Ａ１１，７Ａ１２を接合一体化して矩形ダクト状の固定ノーズ７Ａ１を組み立てることができる。
【００４６】
ところで、上側の固定ノーズ半体７Ａ１１の左右の側壁内面の前端には縦リブ状のストッパ７ｃが一体に突設されている。尚、図示しないが、固定ノーズ半体７Ａ１１の上壁内面の幅方向中央にはガイド溝が長手方向に形成されている。
【００４７】
又、下側の固定ノーズ半体７Ａ１２の基端部には左右の支持部７ｄが立設されており、各支持部７ｄには円孔状の軸孔７ｅと扇状の嵌合孔７ｆが連設されるとともに、円孔状の嵌合孔７ｇが貫設されている。又、下側の固定ノーズ半体７Ａ１２の底面の幅方向中央には長手方向に延びるガイド突起７ｈが形成されており、左右の側壁内面には複数の爪７ｉ（図１３には一方のみ図示）が長手方向に形成されている。ここで、図７に示すように、爪７ｉの底面からの高さはパチンコ玉５０の半径よりも小さく設定されている。
【００４８】
他方、可動ノーズ７Ａ２も上下に２分割された樋状の可動ノーズ半体７Ａ２１，７Ａ２２同士を接合一体化して構成されている。即ち、下側の可動ノーズ７Ａ２２の左右の側壁外面の長手方向の２箇所には係合突起７ｊ（図には片側のみ図示）がそれぞれ突設されており、上側の可動ノーズ半体７Ａ２１の左右の側壁外面の対応する２箇所には係合孔７ｋ（図には片側のみ図示）が形成されている。
【００４９】
而して、下側の可動ノーズ半体７Ａ２２の上に上側の可動ノーズ半体７Ａ２１を被せ、上側の可動ノーズ半体７Ａ２１に形成された前記係合孔７ｋに下側の可動ノーズ半体７Ａ２２に突設された係合突起７ｊを係合させることによって、上下の可動ノーズ半体７Ａ２１，７Ａ２２を接合一体化して矩形ダクト状の可動ノーズ７Ａ２を組み立てることができる。
【００５０】
ところで、上下の可動ノーズ半体７Ａ２１，７Ａ２２の各先端部には半リング状の支持部半体７Ｃ１，７Ｃ２がそれぞれ一体に形成されており、上側の支持部半体７Ｃ１の左右２箇所には係合孔７ｍ（図１３には一方のみ図示）が形成され、下側の支持部半体７Ｃ２の左右２箇所には係合突起７ｎ（図１３には一方のみ図示）が突設されており、前述のように上下の可動ノーズ半体７Ａ２１，７Ａ２２が接合一体化されると、下側の支持部半体７Ｃ２に突設された係合突起７ｎが上側の支持部半体７Ｃ１に形成された係合孔７ｍに係合して図８及び図９に示すように可動ノーズ７Ａ２の先端にリング状の支持部７Ｃが形成される。
【００５１】
ここで、上側の可動ノーズ半体７Ａ２１の後端の左右には、後方に向かって広がる二股状のガイド部７ｏがそれぞれ形成され、左右側壁の外面には縦リブ状のストッパ７ｐが形成されている。又、可動ノーズ半体７Ａ２１の後端部上面の幅方向中央にはガイド突起７ｑが長手方向に部分的に形成され、前端部に形成された支持部半体７Ｃ１の内周面には、図８及び図９にも示すように、複数の爪７ｒが周方向に部分的に形成されている。
【００５２】
他方、下側の可動ノーズ半体７Ａ２２の後端の左右には、後方に向かって広がる二股状のガイド部７ｓと爪７ｔがそれぞれ形成され、底部の幅方向中央にはスリット状のガイド溝７ｕが長手方向に部分的に形成されている。又、可動ノーズ半体７Ａ２１，７Ａ２２の各先端にそれぞれ形成された支持部半体７Ｃ１，７Ｃ２の内面には嵌合溝７ｖがそれぞれ形成されており、各嵌合溝７ｖの相対向する左右の端部には略垂直面状のストッパ面７ｖ１（図９参照）がそれぞれ形成されている。
【００５３】
而して、上下の可動ノーズ半体７Ａ２１，７Ａ２２が接合一体化されることによって構成される可動ノーズ７Ａ２は、その外側から固定ノーズ半体７Ａ１１，７Ａ１２を被せ、これらの固定ノーズ半体７Ａ１１，７Ａ１２を前述のように接合一体化することによって固定ノーズ７Ａ１内に玉供給方向にスライド可能に収容保持されるが、このとき、上側の可動ノーズ半体７Ａ２１の上面に突設されたガイド突起７ｑは固定ノーズ半体７Ａ１１の上壁内面に形成された不図示のガイド溝に嵌合し、下側の可動ノーズ半体７Ａ２２に形成されたガイド溝７ｕには固定ノーズ半体７Ａ１２に突設されたガイド突起７ｈが嵌合する（図５及び図６参照）。尚、固定ノーズ７Ａ１に可動ノーズ７Ａ２がスライド可能に嵌合保持されることによって、玉供給ノーズ７は玉供給方向に伸縮可能となるが、図３及び図７に示すように、玉供給ノーズ７は玉供給方向に向かって下がるよう傾斜している。
【００５４】
又、図６に詳細に示すように、下側の可動ノーズ半体７Ａ２２の後端部の左右に形成された爪７ｔは固定ノーズ半体７Ａ１２の左右の側壁内面に形成された複数の爪７ｉの１つの係合している。このように、爪７ｉ，７ｔ同士が係合することによって可動ノーズ７Ａ２のスライドにはクリック感が与えられるが、本実施の形態では、可動ノーズ７Ａ２の玉供給方向（図３〜図７の右方向）へのスライド抵抗を逆方向のスライド抵抗よりも大きく設定するスライド規制手段が設けられている。具体的には、スライド規制手段は、固定ノーズ７Ａ１側に形成された複数の各爪７ｉの玉搬送方向への傾斜角度を逆方向の傾斜角度よりも大きく設定することによって構成されている。尚、可動ノーズ７Ａ２の固定ノーズ７Ａ１からの抜けは、該可動ノーズ７Ａ２側に形成された左右の前記ストッパ７ｐが固定ノーズ７Ａ１側に形成された左右のストッパ７ｃに当接することによって防がれる。
【００５５】
次に、前記回動ノーズ７Ｂの構成とその支持構造を図８、図９及び図１３に基づいて説明する。
【００５６】
回動ノーズ７Ｂには円筒の軸部７Ｂ１が水平に突設されており、該軸部７Ｂ１の一部はＬ字状の溝７ｗによって切り欠かれている。そして、軸部７Ｂ１のＬ字状の溝７ｗによってバネ性が付与されたバネ部７ｘの端部には爪７ｙが形成されている。又、軸部７Ｂ１の後端外周の相対向する２箇所にはリブ状の係合突起７ｚが一体に突設されている。尚、回動ノーズ７Ｂの下方に向かって開口する開口部には、図５及び図７に示すように、パチンコ玉５０を図１４に示すパチンコ台１００の受皿１０１へとガイドするための補助ノズル１１が嵌合保持されている。
【００５７】
而して、回動ノーズ７Ｂは、図５及び図７に示すように、その軸部７Ｂ１が可動ノーズ７Ａ２の先端部の前記支持部７Ｃ内に挾持され、パチンコ玉５０の搬送方向に対して直交する面で回動可能に支持されている。このとき、図８及び図９に示すように、回動ノーズ７Ｂの軸部７Ｂ１に形成された爪７ｙは可動ノーズ７Ａ１の支持部半体７Ｃ１の内周に形成された複数の爪７ｒの１つに係合しており、回動ノーズ７Ｂの軸部７Ｂ１に形成された係合突起７ｚは可動ノーズ半体７Ａ２１，７Ａ２２の支持部半体７Ｃ１，７Ｃ２の内周にそれぞれ形成された嵌合溝７ｖに嵌合している。
【００５８】
上述のように回動ノーズ７Ｂが可動ノーズ７Ａ２に対して回動（首振り）可能に支持されることによって、該回動ノーズ７Ｂは図８（ａ）に示す垂直状態（補助ノズル１１の玉排出口１１ａが真下に向く状態）から図８（ｂ），（ｃ）に示す角度範囲で左右に回動（首振り）が可能であるが、爪７ｒ，７ｙ同士が係合することによって回動ノーズ７Ｂの回動（首振り）にはクリック感が与えられる。
【００５９】
ところで、本実施の形態では、回動ノーズ７Ｂの玉供給方向（図９（ａ）の矢印方向（反時計方向））への回動抵抗よりも逆方向の回動抵抗を大きく設定する回動規制手段が設けられている。具体的には、本実施の形態では、可動ノーズ７Ａ２側の爪７ｒの一方の傾斜面（図中右方の面）と、該爪７ｒに対面する回動ノーズ７Ｂ側の爪７ｙの一方の傾斜面（図中右方の面）とを同一傾斜とし、両接触面が面接触することによって、回動ノーズ７Ｂを所定角度に固定することができる。併せて、回動ノーズ７Ｂのバネ部７ｘがその基端部を起点として撓み変形することによって、該バネ部７ｘの先端に形成された爪７ｙはバネ部７ｘの基端部を起点として径方向内外方に移動する。
【００６０】
補助ノーズ１１の玉排出口１１ａが真下に開口している図９（ａ）に示す状態から回動ノーズ７Ｂを矢印方向に回す場合には、爪７ｙは可動ノーズ７Ａ２側の爪７ｒとの係合によって径方向内方（爪７ｒとの係合を解除する方向）へと移動するため、回動ノーズ７Ｂを玉供給方向に図９（ｂ）に示す位置まで容易に回動させて玉排出口１１ａを図１４に示すようにパチンコ台１００の受皿１０１の上方に開口させることができる。
【００６１】
他方、図９（ｂ）に示す状態から回動ノーズ７Ｂを矢印方向（時計方向）へ回す場合には、可動ノーズ７Ａ２側の爪７ｒの一方の傾斜面と、該爪７ｒに対面する回動ノーズ７Ｂ側の爪７ｙの一方の傾斜面とが同一傾斜として形成されているため、両接触面が面接触し、回動ノーズ７Ｂの玉搬送方向とは反対方向（図９（ｂ）の矢印方向）への回動抵抗が大きくなり、図１４に示すパチンコ１００の受皿１０１へと排出されるパチンコ玉５０による衝撃や重量等によっても回動ノーズ７Ｂの図９（ｂ）に示す状態が維持できる。
【００６２】
又、回動ノーズ７Ｂの左右への回動範囲は、該回動ノーズ７Ｂの軸部７Ｂ１に形成された係合突起７ｚの端面７ｚ１が可動ノーズ７Ａ２の内周に形成された嵌合溝７ｖのストッパ面７ｖ１に当接することによって図８（ｂ），（ｃ）に示す角度範囲に規制される。即ち、本実施の形態では、回動ノーズ７Ｂ側の係合突起７ｚの端面７ｚ１と可動ノーズ７Ａ２側の支持部７Ｃに形成された嵌合溝７ｖのストッパ面７ｖ１が回動ノーズ７Ｂの回動角を規制するストッパ手段を構成している。
【００６３】
而して、以上のように構成された玉供給ノーズ７は、図１３に示すように、固定ノーズ７Ａの支持部７ｄをノーズ基部６の固定部６Ｂに外嵌し、ノーズ基部６の固定部６Ｂに突設された左右の支軸６ａと嵌合突起６ｂを固定ノーズ半体７Ａ１２の支持部７ｄの左右に形成された軸孔７ｅと嵌合孔７ｆにそれぞれ嵌合させることによって支軸６ａを中心として上方へ回動して折り曲げられ、図２に鎖線にて示すように略垂直に起立することができる。尚、玉供給ノーズ７の回動角は、ノーズ基部６側の嵌合突起６ｂが固定ノーズ７Ａ１側の嵌合孔７ｆ内を移動する範囲に規制され、該玉供給ノーズ７が図３に示すように略水平に倒されている状態では、ノーズ基部６の固定部６Ｂの左右に突設されたストッパ軸６ｃが可動ノーズ７Ａ２側に形成された嵌合孔７ｇに嵌合することによって玉供給ノーズ７の略水平な姿勢が保持される。
【００６４】
以上のように構成された台間玉貸機１において、図１４に示す本体部２の前面上部に開口する紙幣投入口３から遊技客が紙幣を投入すると、その金額に応じた数のパチンコ玉５０が玉供給部４によってパチンコ台１００の受皿１０１に供給される。即ち、パチンコ玉５０は、本体部２から固定玉通路部材９の玉通路９ａと可動玉通路部材８の玉通路８ａを通ってノーズ基部６へと搬送されるが、玉供給ノーズ７が図５に示すようにノーズ基部６を中心として水平に略９０°回動されて平面視直角に折り曲げられると、ノーズ基部６の玉通路６ｄが可動玉通路部材８の玉通路８ａに連通するため、パチンコ玉５０は、ノーズ基部６の玉通路６ｄを通って玉供給ノーズ７に沿って搬送され、回動ノーズ７Ｂに保持された補助ノズル１１の玉排出口１１ａからパチンコ台１００の受皿１０１へと落下して供給される。
【００６５】
而して、本実施の形態では、パチンコ台１００の受皿１０１の位置や形状が機種によって異なったり、或いはパチンコ台１００の前面側に装飾が突出したり、パチンコ台１００や台間玉貸機１に空気清浄装置等の設備が隣設されているために玉供給ノーズ７の先端に取り付けられた補助ノズル１１の玉排出口１１ａをパチンコ台１００の受皿１０１の上方に位置決めすることができないような場合であっても、玉供給ノーズ７のノーズ本体７Ａ（可動ノーズ７Ａ２）の先端に取り付けられた回動ノーズ７Ｂを玉供給方向に対して直交する面内で回動（首振り）させることによって、図１４に示すように該回動ノーズ７Ｂ（本実施の形態では補助ノズル１１）に形成された玉排出口１１ａをパチンコ台１００の受皿１０１の方向に向けることができるため、該玉排出口１１ａからパチンコ台１００の受皿１０１にパチンコ玉５０を確実且つ安定的に供給することができる。
【００６６】
そして、回動ノーズ７Ｂの回動角度（首振り角度）がストッパ手段によって所定の範囲内に制限されるため、回動ノーズ７Ｂが必要以上に回動してパチンコ玉５０がパチンコ台１００の受皿に供給されないで該回動ノーズ７Ｂから落下する等の問題が発生することがない。
【００６７】
又、本実施の形態では、回動ノーズ７Ｂの玉供給方向への回動を規制する回動規制手段を設けたため、所定角度に位置決めされた回動ノーズ７Ｂがパチンコ玉５０から受ける衝撃によって回動することなく所定の位置に固定され、この結果、該回動ノーズ７Ｂ（本実施の形態では補助ノズル１１）の玉排出口１１ａからパチンコ台１００の受皿１０１にパチンコ玉５０が確実且つ安定的に供給される。
【００６８】
更に、本実施の形態では、機種によってパチンコ台１００の受皿１０１の位置や形状が異なっていたり、遊技台や台間玉貸機の台間ユニットに空気清浄機等の設備が隣設されていても、それに応じて玉供給ノーズ７のノーズ本体７Ａを伸縮させることができるため、その先端に取り付けられた回動ノーズ７Ｂ（本実施の形態では補助ノズル１１）の玉排出口１１ａをパチンコ台１００の受皿１０１の上方に位置決めすることができる。そして、本実施の形態では、可動ノーズ７Ａ２の玉供給方向へのスライド抵抗を逆方向のスライド抵抗よりも大きく設定するスライド規制手段を設けたため、伸縮によって所定の長さに調整されたノーズ本体７Ａがパチンコ玉５０から受ける衝撃によって伸びることがなく、その先端に取り付けられた回動ノーズ７Ｂ（本実施の形態では補助ノズル１１）の玉排出口１１ａの位置がずれることがなく、該玉排出口１１ａからパチンコ玉５０をパチンコ台１００の受皿１０１に安定的に供給することができる。
【００６９】
そして、本実施の形態では、固定ノーズ７Ａ１の内側面に爪７ｉを形成したため、該爪７ｉにゴミや埃が付着することがなく、ノーズ本体７Ａの伸縮が安定的になされる。又、固定ノーズ７Ａ１の内側面に形成された爪７ｉの底面からの高さをパチンコ玉５０の半径よりも小さく設定したため、該爪７ｉにパチンコ玉５０が接触することがなく、搬送されるパチンコ玉５０によって爪７ｉが損傷する等の不具合の発生が防がれる。
【００７０】
更に、本実施の形態では、パチンコ台１００の前面側に装飾が突出したり、パチンコ台１００や台間玉貸機１に隣設されたカードユニットや台間型の空気清浄装置等の設備が設置されているような場合には、可動ノーズベース５Ｂを前面側（手前側）に引き出してノーズベース全体５を伸ばすことができるため、玉供給ノーズ７の装飾や空気清浄装置等の設備との干渉を避けて玉排出口１１ａをパチンコ台１００の受皿１０１の上方に位置決めすることができ、該玉排出口１１ａからパチンコ玉５０をパチンコ台１００の受皿１０１に安定的に供給することができる。又、可動ノーズベース５Ｂを前面側（手前側）に引き出した分だけ玉排出口１１ａが受皿１０１から外れてしまう場合には、玉排出口１１ａが受皿１０１から外れない位置まで回動ノーズ７Ｂを回動させて位置決めすることによってパチンコ玉５０を受皿１０１に確実且つ安定的に供給することができる。
【００７１】
又、本実施の形態では、可動ノーズベース５Ｂの玉搬送方向へのスライド抵抗を逆方向のスライド抵抗よりも大きく設定するスライド規制手段を設けたため、ノーズベース５の可動ノーズベース５Ｂが搬送中のパチンコ玉５０から受ける衝撃によって移動してノーズベース５全体が伸びることがない。このため、玉排出口１１ａのパチンコ台１００の受皿１０１に対する位置がずれることがなく、該玉排出口１１ａからパチンコ台１００の受皿１０１にパチンコ玉５０が確実且つ安定的に供給される。
【００７２】
尚、以上は本発明を特に台間玉貸機に対して適用した形態について説明したが、本発明は、計数して預かった遊技玉を払い出す台間玉払出機等の他の台間ユニットに対しても同様に適用可能であることは勿論である。
【図面の簡単な説明】
【００７３】
【図１】本発明に係る台間玉貸機の斜視図である。
【図２】本発明に係る台間玉貸機の玉供給ノーズの可動範囲を示す斜視図である。
【図３】本発明に係る台間玉貸機の玉供給部の側面図である。
【図４】本発明に係る台間玉貸機の玉供給部の玉供給部の平面図である。
【図５】本発明に係る台間玉貸機の玉供給部の玉供給部の平断面図である。
【図６】図５のＡ部拡大詳細図である。
【図７】図４のＢ−Ｂ線断面図である。
【図８】（ａ）〜（ｃ）は図３のＣ−Ｃ線断面図である。
【図９】（ａ），（ｂ）は図３のＤ−Ｄ線断面図である。
【図１０】本発明に係る台間玉貸機のノーズベースとノーズ基部の分解斜視図である。
【図１１】（ａ），（ｂ）は本発明に係る台間玉貸機のノーズベースとノーズ基部部分の断面斜視図である。
【図１２】（ａ），（ｂ）は本発明に係る台間玉貸機のノーズベースとノーズ基部部分の断面図である。
【図１３】本発明に係る台間玉貸機の玉供給ノーズの分解斜視図である。
【図１４】本発明に係る台間玉貸機において供給ノーズ先端の回動ノーズを回動（首振り）させてその玉排出口をパチンコ台の受皿の上方に開口させた状態を示す斜視図である。
【符号の説明】
【００７４】
１          台間玉貸機（台間ユニット）
２          本体部
３          紙幣投入口
４          玉供給部
５          ノーズベース
５Ａ        固定ノーズベース
５Ｂ        可動ノーズベース
５ａ，５ｂ  開口部
５ｃ        爪
５ｄ        ガイド溝
５ｅ        ガイド突起
５ｆ        リブ状突起
５ｇ        ガイド溝
５ｈ，５ｉ  開口部
５ｊ        舌片
５ｋ        ガイド突起
５ｍ        爪
５ｎ        ストッパ
６          ノーズ基部
６Ａ        ノーズ基部の本体
６Ｂ        ノーズ基部の固定部
６ａ        支軸
６ｂ        嵌合突起
６ｃ        ストッパ軸
６ｄ        玉通路
７          玉供給ノーズ
７Ａ        ノーズ本体
７Ａ１      固定ノーズ
７Ａ１１    固定ノーズ半体（上側）
７Ａ１２    固定ノーズ本体（下側）
７Ａ２      可動ノーズ
７Ａ２１    可動ノーズ半体（上側）
７Ａ２２    可動ノーズ半体（下側）
７Ｂ        回動ノーズ
７Ｂ１      回動ノーズの軸部
７Ｃ        ノーズ本体の支持部
７Ｃ１      支持部半体（上側）
７Ｃ２      支持部半体（下側）
７ａ        係合突起
７ｂ        係合孔
７ｃ        ストッパ
７ｄ        支持部
７ｅ        軸孔
７ｆ，７ｇ  嵌合孔
７ｈ        ガイド突起
７ｉ        爪
７ｊ        係合突起
７ｋ，７ｍ  係合孔
７ｎ        係合突起
７ｏ        ガイド部
７ｐ        ストッパ
７ｑ        ガイド突起
７ｒ        爪
７ｓ        ガイド部
７ｔ        爪
７ｕ        ガイド溝
７ｖ        係合溝
７ｖ１      係合溝のストッパ面
７ｗ        溝
７ｘ        バネ部
７ｙ        爪
７ｚ        係合突起
７ｚ１      係合突起の端面
８          可動玉通路部材
８ａ        玉通路
８ｂ        ガイド突起
８ｃ        支持部
９          固定玉通路部材
９ａ        玉通路
９ｂ        突起
９ｃ        ガイド溝
１０        キャップ
１１        補助ノズル
１１ａ      玉排出口
５０        パチンコ玉（遊技玉）
１００      パチンコ台
１０１      パチンコ台の受皿
【図１】
2010088461.tif 000003
【図２】
2010088461.tif 000004
【図３】
2010088461.tif 000005
【図４】
2010088461.tif 000006
【図５】
2010088461.tif 000007
【図６】
2010088461.tif 000008
【図７】
2010088461.tif 000009
【図８】
2010088461.tif 000010
【図９】
2010088461.tif 000011
【図１０】
2010088461.tif 000012
【図１１】
2010088461.tif 000013
【図１２】
2010088461.tif 000014
【図１３】
2010088461.tif 000015
【図１４】
2010088461.tif 000016